【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
被検体を保持する保持手段と、前記被検体に光を照射する照射手段と、前記光により前記被検体内で発生する音響波を前記保持手段を介して受信する音響波検出手段と、を有する音響波測定装置であって、
前記被検体を撮像する撮像装置と、
前記撮像装置により取得された画像上における測定位置の座標を、前記保持手段上の座標に、変換する座標変換手段と、
前記座標変換手段から出力された情報に基づき、前記保持手段上において前記照射手段と前記音響波検出手段のうち少なくとも一方を移動させる位置制御手段と、
を有することを特徴とする音響波測定装置。
【請求項２】
前記位置制御手段は、前記座標変換手段から出力された情報に基づき、前記保持手段上における前記測定位置に対応する位置で前記音響波検出手段が音響波を受信できるように、前記音響波検出手段を移動させることを特徴とする請求項１に記載の音響波測定装置。
【請求項３】
前記測定位置は、前記音響波検出器が移動しながら音響波を受信する場合の移動の開始位置であり、
前記位置制御手段は、前記座標変換手段から出力された情報に基づき、前記保持手段上における前記開始位置に対応する位置に、前記音響波検出手段を移動させることを特徴とする請求項１に記載の音響波測定装置。
【請求項４】
前記座標変換手段は、前記保持手段と前記撮像手段との距離により決定される変換係数を用いて前記画像上の測定位置の座標を前記保持手段上の対応する位置の座標に変換することを特徴とする請求項１乃至３のいずれか１項に記載の音響波測定装置。
【請求項５】
前記保持手段は、前記被検体を両側から挟持するための固定保持板と可動保持板とからなり、
前記座標変換手段は、前記可動保持板と前記撮像手段との距離により決定させる変換係数を用いて前記画像上の測定位置の座標を前記可動保持板上の対応する位置の座標に変換することを特徴とする請求項１乃至３のいずれか１項に記載の音響波測定装置。
【請求項６】
前記可動保持板と前記撮像手段との距離を測定するための距離測定手段を有することを特徴とする請求項５に記載の音響波測定装置。
【請求項７】
前記可動保持板と前記撮像手段との距離を一定に保つ距離固定手段を有することを特徴とする請求項５に記載の音響波測定装置。
【請求項８】
前記画像上における測定位置の情報は、測定者からの指示に基づき位置指定手段から入力されることを特徴とする請求項１乃至７のいずれか１項に記載の音響波測定装置。
【請求項９】
前記撮像手段は、前記保持手段に保持された状態の被検体の外観を撮像することを特徴とする請求項１乃至８のいずれか１項に記載の音響波測定装置。
【請求項１０】
前記撮像手段は、ＣＣＤカメラ又はＣＭＯＳカメラであることを特徴とする請求項９に記載の音響波測定装置。
【請求項１１】
前記照射手段と前記音響波検出手段のうち少なくとも一方は、前記撮像手段が前記被検体の外観を撮像する際、前記撮像手段の撮像領域の外に位置することを特徴とする請求項９に記載の音響波測定装置。
【請求項１２】
前記被検体に照射される光が外部に漏れることを防ぐための筐体をさらに有することを特徴とする請求項１乃至１１のいずれか１項に記載の音響波測定装置。
【請求項１３】
照射手段により被検体に光を照射することにより、前記被検体から発生する音響波を、前記被検体を保持する保持手段を介して音響波検出手段により受信する音響波測定方法であって、
撮像手段が前記被検体を撮像する撮像ステップと、
前記撮像装置により取得された画像上における測定位置の座標を、前記保持手段上の座標に変換する座標変換ステップと、
前記座標変換ステップでの出力に基づき、前記保持手段上において前記照射手段と前記音響波検出手段のうち少なくとも一方を移動させる位置制御ステップと、
を有することを特徴とする音響波測定方法。
【請求項１４】
前記位置制御ステップでは、前記座標変換ステップでの出力に基づき、前記保持手段上における前記測定位置に対応する位置で前記音響波検出手段が音響波を受信できるように、前記音響波検出手段を移動させることを特徴とする請求項１３に記載の音響波測定方法。
【請求項１５】
前記測定位置は、前記音響波検出器が移動しながら音響波を受信する場合の移動の開始位置であり、
前記位置制御ステップでは、前記座標変換ステップでの出力に基づき、前記保持手段上における前記開始位置に対応する位置に、前記音響波検出手段を移動させることを特徴とする請求項１３に記載の音響波測定方法。
【請求項１６】
前記座標変換ステップにおいて、前記保持手段と前記撮像手段との距離により決定される変換係数を用いて前記画像上の測定位置の座標を前記保持手段上の対応する位置の座標に変換することを特徴とする請求項１３乃至１５のいずれか１項に記載の音響波測定方法。
【請求項１７】
前記被検体は、固定保持板と可動保持板により両側から保持されており、
前記座標変換ステップにおいて、前記可動保持板と前記撮像手段との距離により決定される変換係数を用いて前記画像上の測定位置の座標を前記可動保持板上の対応する位置の座標に変換することを特徴とする請求項１３乃至１５のいずれか１項に記載の音響波測定方法。
【請求項１８】
前記可動保持板と前記撮像手段との距離を測定する距離測定ステップを有することを特徴とする請求項１７に記載の音響波測定方法。
【請求項１９】
前記画像上における測定位置の情報は、測定者からの指示に基づき入力されることを特徴とする請求項１３乃至１８のいずれか１項に記載の音響波測定装置。
【請求項２０】
前記撮像ステップでは、前記保持手段に保持された状態の被検体の外観を撮像することを特徴とする請求項１３乃至１９のいずれか１項に記載の音響波測定方法。
【請求項２１】
前記撮像ステップでは、前記照射手段と前記音響波検出手段のうち少なくとも一方は、前記撮像手段の撮像領域の外に位置することを特徴とする請求項１３乃至２０のいずれか１項に記載の音響波測定方法。
【手続補正２】
【補正対象書類名】明細書
【補正対象項目名】０００７
【補正方法】変更
【補正の内容】
【０００７】
本発明の音響波測定装置は、被検体を保持する保持手段と、前記被検体に光を照射する照射手段と、前記光により前記被検体内で発生する音響波を前記保持手段を介して受信する音響波検出手段と、を有する音響波測定装置であって、前記被検体を撮像する撮像装置と、前記撮像装置により取得された画像上における測定位置の座標を、前記保持手段上の座標に、変換する座標変換手段と、前記座標変換手段から出力された情報に基づき、前記保持手段上において前記照射手段と前記音響波検出手段のうち少なくとも一方を移動させる位置制御手段と、を有することを特徴とする。
【手続補正３】
【補正対象書類名】明細書
【補正対象項目名】０００８
【補正方法】変更
【補正の内容】
【０００８】
また、本発明の音響波測定方法は、照射手段により被検体に光を照射することにより、前記被検体から発生する音響波を、前記被検体を保持する保持手段を介して音響波検出手段により受信する音響波測定方法であって、撮像手段が前記被検体を撮像する撮像ステップと、前記撮像装置により取得された画像上における測定位置の座標を、前記保持手段上の座標に変換する座標変換ステップと、前記座標変換ステップでの出力に基づき、前記保持手段上において前記照射手段と前記音響波検出手段のうち少なくとも一方を移動させる位置制御ステップと、を有することを特徴とする。